(57)【要約】      （修正有）【課題】  医療器具に付着した蛋白質を精度高く、かつ、簡便に検出することが可能な蛋白質の検出方法を提供する。【解決手段】  アルカリ性溶液に医療器具を浸漬して、蛋白質を抽出する工程と、この蛋白質抽出工程で得られた抽出液と、蛋白質染色剤とを接触させる工程とを有する蛋白質の検出方法において、アルカリ性溶液が、水酸化ナトリウム及び／又は水酸化カリウムの溶液であり、アルカリ性水溶液の濃度が０．０５〜２Ｎであり、蛋白質抽出工程が、２５〜９０℃において行われ、蛋白質染色剤が、クーマシーブリリアントブルーＧ−２５０である。【選択図】なし【特許請求の範囲】
【請求項１】
アルカリ性溶液に医療器具を浸漬して、蛋白質を抽出する工程と、
前記蛋白質抽出工程で得られた抽出液と、蛋白質染色剤とを接触させる工程と、
を有することを特徴とする蛋白質の検出方法。
【請求項２】
前記アルカリ性溶液が、水酸化ナトリウム及び／又は水酸化カリウムの溶液であることを特徴とする請求項１に記載の蛋白質の検出方法。
【請求項３】
前記アルカリ性溶液の濃度が、０．０５〜２Ｎであることを特徴とする請求項１又は２に記載の蛋白質の検出方法。
【請求項４】
前記蛋白質抽出工程が、２５〜９０℃において行われることを特徴とする請求項１〜３のいずれかに記載の蛋白質の検出方法。
【請求項５】
前記蛋白質染色剤が、クーマシーブリリアントブルーＧ−２５０であることを特徴とする請求項１〜４のいずれかに記載の蛋白質の検出方法。
【請求項６】
前記抽出工程で得られる抽出液と、前記蛋白質染色剤とを接触させて得られる接触液の吸光度を測定する工程を有することを特徴とする請求項１〜５のいずれかに記載の蛋白質の検出方法。
【発明の詳細な説明】
【技術分野】
【０００１】
本発明は、医療機関で使用された各種医療器具等に付着した蛋白質の検出方法に関する。
【背景技術】
【０００２】
医療機関の外来診療、手術部、検査部、病棟等で使用された医療器具には、血液、体液、組織片等の蛋白質を主成分とする蛋白質汚れが付着しており、一般的に、これらの汚染された医療器具は、殺菌消毒工程、洗浄工程、滅菌工程を経て再使用される。従って、医療器具の円滑な作動性維持や医療器具による感染防止等のために、医療器具の蛋白質汚れを取り除くための洗浄が重要であり、不可欠である。
【０００３】
医療機関で使用されて蛋白質汚れが付着した医療器具の洗浄方法には、各医療機関の所有する洗浄設備に基づき、浸漬洗浄や、超音波洗浄機、ウォッシャーディスインフェクター等による機械洗浄が行われている。また、内視鏡スコープのような医療器具の構造に応じた内視鏡専用洗浄機等も使用されている。
【０００４】
しかし、上記のような洗浄を行っても、医療器具に蛋白質汚れが残存している場合があり、医療器具の清浄度を確認する必要がある。現在、医療機関で行われている医療器具の清浄度の確認方法は、洗浄後の医療器具を蛋白質染色剤であるアミドブラック１０Ｂ染色液に浸漬した後に水洗いをして、医療器具表面にアミドブラック１０Ｂが染着した青色の染色跡があるか否かを調べることにより、医療器具表面の蛋白質の有無を肉眼で定性的に判断するのが一般的である。
【０００５】
また、洗浄後の医療器具の清浄度を確認する別の方法としては、医療器具表面に酸性色素溶液を接触させた後、この酸性色素溶液を医療器具表面から洗浄除去し、洗浄後の医療器具表面に所定量のアルカリ性抽出液を接触させ、この抽出液を回収し、抽出液中に溶出する酸性色素によって医療器具表面の蛋白質固着物の有無ないし固着度合を検出する方法が提案されている（特許文献１参照）。
【特許文献１】特許第３１６５６６８号公報
【０００６】
しかしながら、上記で提案されている蛋白質の検出方法は、医療器具に固着した蛋白質の表面を酸性色素で染色して、この固着蛋白質の表面に染着した酸性色素の量を基に検出を行うものであり、医療器具に固着した蛋白質の全量を検出するものではない。従って、特に医療器具の蛋白質汚染がひどい場合などは、実際の固着量とはかけ離れた検出結果が得られるという問題があった。
【０００７】
また、上記で提案されている蛋白質の検出方法は、余分な酸性色素溶液を医療器具表面から洗浄除去する工程を有し、ここでの洗浄は、排出される洗浄液が完全に無色透明になるまで行うとされている。しかしながら、排出される洗浄液が完全に無色透明か否かの判断は、目視では困難であり、完全な洗浄を行うのは困難であった。
【発明の開示】
【発明が解決しようとする課題】
【０００８】
本発明は、かかる事情に鑑みてなされたものであり、医療器具に付着した蛋白質を精度高く、かつ、簡便に検出することが可能な蛋白質の検出方法の提供を目的とする。
【課題を解決するための手段】
【０００９】
上記課題を解決するため、本発明は、
（１）アルカリ性溶液に医療器具を浸漬して、蛋白質を抽出する工程と、前記蛋白質抽出工程で得られた抽出液と、蛋白質染色剤とを接触させる工程と、を有することを特徴とする蛋白質の検出方法。
（２）前記アルカリ性溶液が、水酸化ナトリウム及び／又は水酸化カリウムの溶液であることを特徴とする（１）に記載の蛋白質の検出方法、
（３）前記アルカリ性溶液の濃度が、０．０５〜２Ｎであることを特徴とする前記（１）又は（２）に記載の蛋白質の検出方法、
（４）前記蛋白質抽出工程が、２５〜９０℃において行われることを特徴とする前記（１）〜（３）のいずれかに記載の蛋白質の検出方法、
（５）前記蛋白質染色剤が、クーマシーブリリアントブルーＧ−２５０であることを特徴とする前記（１）〜（４）のいずれに記載の蛋白質の検出方法、
（６）前記抽出工程で得られる抽出液と、前記蛋白質染色剤とを接触させて得られる接触液の吸光度を測定する工程を有することを特徴とする前記（１）〜（５）のいずれかに記載の蛋白質の検出方法、
に関する。
【発明の効果】
【００１０】
本発明の検出方法は、アルカリ性溶液に医療器具を浸漬して、医療器具に付着した蛋白質を抽出する工程を有することから、どのような形状の医療器具であっても、医療器具の汚染がひどい場合であっても、医療器具に付着した蛋白質を精度高く、かつ、簡便に検出することができ、医療の現場で要求される検出精度を十分に備えるものである。
【発明を実施するための最良の形態】
【００１１】
本発明に係る蛋白質の検出方法は、主に、医療器具に付着した蛋白質の有無、さらには、付着量を検出するものであり、アルカリ性溶液に医療器具を浸漬して、蛋白質を抽出する工程と、蛋白質の抽出工程で得られる抽出液と蛋白質染色剤とを接触させる工程とを有することを特徴とする。
【００１２】
アルカリ性溶液としては、例えば、水酸化ナトリウム、水酸化カリウム、炭酸ナトリウム、炭酸水素ナトリウム、炭酸カリウム、炭酸水素カリウム、燐酸ナトリウム、燐酸カリウム等のアルカリ剤を溶媒に溶かしたものが挙げられ、これらを単独で又は２種以上を混合して使用することができる。これらの中でも、蛋白質の抽出を良好に行う観点から、水酸化ナトリウム、水酸化カリウムが好ましく用いられる。
【００１３】
アルカリ性溶液の溶媒としては、例えば、水道水、蒸留水、イオン交換水、ＲＯ水等が挙げられ、これらを単独で又は２種以上を混合して使用することができる。当該濃度としては、蛋白質の抽出を良好に行う観点から、好ましくは０．０５〜２Ｎであり、より好ましくは０．１〜１Ｎであり、特に好ましくは０．１５〜０．７５Ｎである。
【００１４】
医療器具としては、手術、検査、治療等に用いられるものであれば特に限定されず、例えば、鑷子、鉗子、剪刀、吸引管、内視鏡、カテーテル、注射針等が挙げられる。なお、本発明において「医療器具」とは、手術、検査、治療等で使用されたものだけでなく、蛋白質が付着している可能性があるものも含まれる。
【００１５】
抽出温度としては、好ましくは２５〜９０℃であり、より好ましくは３０〜８０℃であり、特に好ましくは４０〜７０℃である。また、抽出時間としては、好ましくは２０分以上であり、より好ましくは２０〜６０分である。
【００１６】
アルカリ性溶液の使用量としては、検出対象となる医療器具の大きさ、表面積、使用状況等に応じて調節すればよく、特に限定されるものではない。
【００１７】
ここで、「アルカリ性溶液に医療器具を浸漬する」とは、医療器具全体をアルカリ性溶液に浸漬することをいい、具体的には、耐アルカリ性の容器や袋等に、所定量のアルカリ性溶液を注入し、この中に、医療器具を入れて振盪させる態様等が挙げられるが、アルカリ性溶液に医療器具全体を浸漬し得る操作であれば、特に限定されるものではない。
【００１８】
蛋白質抽出工程は、使用後の医療器具について洗浄を終えた段階で行ってもよいし、滅菌が済んだ段階で行ってもよい。なお、医療器具の洗浄時に用いる洗浄剤や、洗浄前に用いる殺菌消毒剤等の干渉物質が、医療器具に残存している場合であっても、医療器具に付着した蛋白質の有無ないし付着量の検出に及ぼす影響は問題ない。
【００１９】
本発明の蛋白質の検出方法は、上述した蛋白質抽出工程を行った後に、蛋白質抽出工程で得られた抽出液と、蛋白質染色剤とを接触させる工程を有する。
【００２０】
蛋白質染色剤としては、蛋白質と化学量論的に結合して発色するものであれば特に限定されず、例えば、クーマシーブリリアントブルーＲ−２５０、クーマシーブリリアントブルーＧ−２５０、アミドブラック１０Ｂ、アシッドオレンジ１２、バッファローブラック、オレンジＧ、ブロモフェノールブルー等の酸性色素；サフラニンＯ等の塩基性色素；ビシコニン酸等のキレート色素；エオシンＹ等の蛍光色素等が挙げられる。これらの中でも、検出精度をより良好にする観点から、蛋白質との結合性に特に優れるクーマシーブリリアントブルーＧ−２５０が好ましく用いられる。このクーマシーブリリアントブルーＧ−２５０は、蛋白質と結合すると赤色（４６５ｎｍ）から青色（５９５ｎｍ）に変化するものであるが、蛋白質との結合は約２分間で平衡になり、その結合は室温で約１時間は安定な分散状態を維持するので、後述する吸光度測定を迅速、かつ、正確に行うことができるという利点も備えている。
【００２１】
また、接触工程において、蛋白質染色剤は、水、アルコール等の溶媒に溶解させた状態で使用するのが好ましい。この蛋白質染色剤溶液は、蛋白質染色剤として酸性色素を用いる場合は、酢酸、燐酸、硫酸等の酸成分を添加して、ｐＨ０．５〜４とすることが好ましく、蛋白質染色剤溶液として塩基性色素を用いる場合は、酢酸等の弱酸成分等を添加して、ｐＨ３〜８とすることが好ましい。なお、蛋白質染色剤溶液は、市販品を用いてもよく、例えば、上記クーマシーブリリアントブルーＧ−２５０の溶液である、ＰＩＥＲＣＥ社製、Ｃｏｏｍａｓｉｅ ｐｒｏｔｅｉｎ ａｓｓａｙ ｒｅａｇｅｎｔ ｋｉｔ（商品名）等が挙げられる。
【００２２】
蛋白質染色剤の使用量としては、検出対象となる医療器具の大きさ、表面積、使用状況、さらには、検出対象となる蛋白質の種類、量等に応じて調節すればよく、特に限定されるものではない。
【００２３】
ここで、「抽出液と蛋白質染色剤とを接触させる」態様としては、具体的には、上述した抽出工程で得られた抽出液の一部又は全部に、所定量の蛋白質染色剤を添加する態様等が挙げられるが、所定量の抽出液と蛋白質染色剤とを接触させ得る操作であれば特に限定されるものではない。
【００２４】
こうして、抽出液と蛋白質染色剤とを接触させた接触液が、着色しているか否かを調べることにより、医療器具に蛋白質が付着していたか否かを判断することができる。また、医療器具の付着蛋白質量については、接触液の着色度合からでも推定できるが、接触液の吸光度を測定することにより、簡便に検出することもできる。
【００２５】
前記吸光度測定による付着蛋白質量の検出方法は、上述した抽出条件、抽出液と蛋白質染色剤との接触条件等を一定にして蛋白質染色剤に特有の吸収波長域における吸光度を測定し、予め作成した同じ蛋白質染色剤によって測定した吸光度と蛋白質量との相関（例えば、検量線、相関数式等）と対比することにより、付着蛋白質量を検出するものである。
【００２６】
ここで、使用する蛋白質染色剤の種類、量により、付着蛋白質量の検出限界が異なるが、蛋白質染色剤の種類、使用量を一定にすることにより、医療器具に付着した蛋白質量が基準値を超えるか否かの判断を容易に行うことができる。
【００２７】
本発明においては、医療機関等で、医療器具に付着した蛋白質を検出する場合において、医療器具を浸漬して、蛋白質を抽出するためのアルカリ性溶液と、この抽出後の抽出液と接触させるための蛋白質染色剤とを備えた検出キットとして供給することもできる。また、この検出キットには、蛋白質の抽出工程で用いるビニール製等の袋、比色管、吸光度測定用の簡易分光光度計等の検出器具が備えられていてもよい。
【実施例】
【００２８】
以下、蛋白質染色剤として、クーマシーブリリアントブルーＧ−２５０（蛋白質と結合した場合、５９５ｎｍに吸収極大を有する）を使用した場合を例に挙げ、本発明に係る蛋白質の検出方法について説明する。
【００２９】
（検量線の作成）
２ｍｇ／ｍｌの牛血清アルブミン溶液〔和光純薬工業株式会社製〕を、表１に示す各濃度となるように、０．２Ｎの水酸化ナトリウム水溶液で希釈し、各希釈液を得た。次いで、９５％エタノール５０ｍｌに、クーマシーブリリアントブルーＧ−２５０を１００ｍｇ溶解し、この溶液に８５％（ｗ／ｖ）の燐酸１００ｍｌを加え、更に水を加えて全体量を１ｌとし、ｐＨ１．４３（２５℃）のクーマシーブリリアントブルーＧ−２５０溶液を調製した。このようにして得られたクーマシーブリリアントブルーＧ−２５０溶液３ｍｌ中に、得られた各希釈液１ｍｌを添加して、２５℃で２０分間反応させた後、得られた接触液の５９５ｎｍにおける吸光度を測定した。表１にこの結果を示し、図１に、表１の測定結果から作成した検量線を示す。
【００３０】
【表１】
2006145271.tif 000002
【００３１】
図１に示すように、作成した検量線は、良好な直線性を示した。
【００３２】
上記で得られた検量線をもとに、アルカリ性溶液による抽出条件について、以下のような検討を行った。
【００３３】
（抽出濃度及び抽出時間について）
１．０Ｎの水酸化ナトリウム〔和光純薬工業株式会社製〕を蒸留水で希釈し、表２に示す濃度のアルカリ性溶液を調製し、得られたアルカリ性溶液１０ｍｌと、ステンレス板（１５×５０ｍｍ）に擬似血液（牛血精製物：アルブミン、ヘモグロビン、フィブリノーゲン、トロンビン）を付着させた洗浄度評価インジケーター〔Ｐｅｒｅｇ社製、商品名：ＴＯＳＩ〕（以下、「ＴＯＳＩ」という。）を、ポリエチレン製の袋（寸法：２４０×３４０ｍｍ、厚さ：０．０４ｍｍ、チャック付き）に入れ、この袋を、５０℃に保たれた恒温水槽〔ＴＡＩＴＥＣ社製、品番：ＳＭ−０５Ｒ〕に浸漬した。そして、ＴＯＳＩをアルカリ性溶液中で浸漬振盪を行い、蛋白質の抽出を行った。抽出時間については、表２に示すとおりである。
【００３４】
こうして得られた抽出液１ｍｌを、上述した検量線の作成例と同様に、クーマシーブリリアントブルーＧ−２５０溶液３ｍｌ中に添加して、２５℃で２０分間反応させた後、得られた接触液の５９５ｎｍにおける吸光度測定を行うという操作を、各条件それぞれについて５回繰り返した。この各５回の吸光度測定の結果から得られた蛋白質量の平均値を表２に示す。
【００３５】
【表２】
2006145271.tif 000003
【００３６】
表２に示すように、アルカリ性溶液（水酸化ナトリウム水溶液）の濃度が、０．２Ｎの場合が、最も高い蛋白質の抽出量を示した。また、アルカリ性溶液の濃度が、０．２Ｎの場合には、抽出時間が３０分までは、抽出時間が長くなるにつれて、蛋白質の抽出量の増加が確認されたが、３０分と６０分を比較すると、蛋白質の抽出量に大きな差は見られなかった。
【００３７】
（抽出温度について）
アルカリ性溶液（０．２Ｎ水酸化ナトリウム水溶液）１０ｍｌと、ＴＯＳＩを、ポリエチレン製の袋に入れ、この袋を、各温度（２５，３０，５０，７０℃）に保たれた恒温水槽に浸漬した。そして、ＴＯＳＩをアルカリ性溶液中で３０分間浸漬振盪を行い、蛋白質の抽出を行った。
【００３８】
こうして得られた抽出液１ｍｌを、上述したように、クーマシーブリリアントブルーＧ−２５０溶液３ｍｌ中に添加して、２５℃で２０分間反応させた後、得られた接触液の５９５ｎｍにおける吸光度測定を行うという操作を、各条件それぞれについて３回繰り返した。この各３回の吸光度測定の結果から得られた蛋白質量の平均値を表３に示す。
【００３９】
【表３】
2006145271.tif 000004
【００４０】
表３に示すように、抽出温度が５０℃の場合と７０℃の場合を比較すると、蛋白質の抽出量に大きな差は見られなかったが、抽出温度５０℃で、最も高い蛋白質の抽出量を示した。
【００４１】
（抽出回数について）
アルカリ性溶液（０．２Ｎ水酸化ナトリウム水溶液）１０ｍｌと、ＴＯＳＩを、ポリエチレン製の袋に入れ、この袋を、５０℃に保たれた恒温水槽に浸漬し、ＴＯＳＩをアルカリ性溶液中で３０分間浸漬振盪を行い、蛋白質の抽出を行った。こうして蛋白質の抽出を行ったＴＯＳＩについて、前記の１回目の抽出条件と同様の条件にて、２回目の抽出を行った。
【００４２】
こうして得られた１回目の抽出液及び２回目の抽出液のそれぞれ１ｍｌを、上述したように、クーマシーブリリアントブルーＧ−２５０溶液３ｍｌ中に添加して、２５℃で２０分間反応させた後、得られた接触液の５９５ｎｍにおける吸光度測定を行い、この吸光度測定の結果から得られた蛋白質量を表４に示す。
【００４３】
【表４】
2006145271.tif 000005
【００４４】
表４に示すように、全て（Ｎｏ．１〜５）において、２回目の抽出における蛋白質の抽出量は、１０μｇ以下であった。以上のことから、抽出回数は、１回で十分であるといえ、さらには、１回の抽出操作で、検出対象に付着した蛋白質をほぼ全量抽出可能であるといえる。
【００４５】
次に、検出精度について、以下の方法により評価した。
【００４６】
５，１０，２０，３０，４０，５０μｇ／２５μｌの牛血清アルブミン液を、ステンレス板（１５×５０ｍｍ）に２５μｌずつ塗布した後、２４時間乾燥させたものをそれぞれ５枚ずつ作製した。こうして得られた試験片と、アルカリ性溶液（０．２Ｎ水酸化ナトリウム水溶液）１０ｍｌを、ポリエチレン製の袋に入れ、この袋を、５０℃に保たれた恒温水槽に浸漬し、試験片をアルカリ性溶液中で３０分間浸漬振盪を行い、蛋白質の抽出を行った。
【００４７】
こうして得られた抽出液１ｍｌを、上述したように、クーマシーブリリアントブルーＧ−２５０溶液３ｍｌ中に添加して、２５℃で２０分間反応させた後、得られた接触液の５９５ｎｍにおける吸光度測定を行い、この吸光度測定の結果から得られた蛋白質量を表５に示す。また、得られた値から求めた平均値、標準偏差及び変動係数についても、表５に示す。
【００４８】
【表５】
2006145271.tif 000006
【００４９】
表５に示すように、アルブミンの塗布量が５μｇの場合において、変動係数が２０．０５％とやや高い値を示したものの、アルブミンの塗布量が１０，２０，３０，４０，５０μｇの場合は、標準偏差、変動係数ともに、良好な値を示した。
【００５０】
また、医療器具の洗浄時のすすぎが不十分である場合、また、洗浄前に使用する消毒剤の残存を想定して、医療器具に残存する洗浄剤、消毒剤等の干渉物質が、検出精度に与える影響について、以下の方法により評価した。
【００５１】
牛血清アルブミンを５μｇ含有し、かつ、以下に示す洗浄剤Ｓ１〜Ｓ２及び消毒剤Ｄ１〜Ｄ４の濃度が、０．０１，０．１，１．０重量％となるように、蒸留水を用いて調製した試料１ｍｌを、上述したように、クーマシーブリリアントブルーＧ−２５０溶液３ｍｌ中に添加して、２５℃で２０分間反応させた後、得られた接触液の５９５ｎｍにおける吸光度測定を行い、各条件における蛋白質濃度を求めた。この結果を表６に示す。
【００５２】
評価で用いた洗浄剤及び消毒剤の詳細については、以下の通りである。
（洗浄剤）
Ｓ１：酵素配合洗浄剤〔株式会社イヌイメデイックス製、商品名：メディポールＥＸ−１〕
Ｓ２：酵素、界面活性剤配合洗浄剤〔株式会社イヌイメデイックス株式会社製、商品名：メディポールＥＸ−２〕
Ｓ３：アルカリ系界面活性剤配合洗浄剤〔株式会社イヌイメデイックス株式会社製、商品名：メディポールＦ〕
Ｓ４：アルカリ系界面活性剤非配合洗浄剤〔株式会社イヌイメデイックス株式会社製、商品名：メディポールＺＴ〕
（消毒剤）
Ｄ１：アルキルジアミノエチルグリシン１５％液〔日本油脂株式会社製、商品名：ニッサンアノン＃３００〕と蒸留水を、０．３：９９．７の重量比で混合したもの
Ｄ２：グルコン酸クロルヘキシジン０．２％液〔サラヤ株式会社製、商品名：ヒビスコール〕
Ｄ３：ポピドンヨード１０％液〔明治製菓株式会社製、商品名：イソジン液〕
Ｄ４：グルタルアルデヒド３．５％液〔ジョンソン＆ジョンソン株式会社製、商品名：サイデックスプラス２８〕
【００５３】
【表６】
2006145271.tif 000007
【００５４】
表６に示すように、洗浄剤Ｓ３、洗浄剤Ｓ４、消毒剤Ｄ２及び消毒剤Ｄ３を１重量％含有する場合では、対照値に比べて高い値を示した。しかしながら、医療器具の洗浄時のすすぎが不十分であっても、洗浄剤、消毒剤等の干渉物質の残留濃度が、１重量％程度にまで到達する場合は想定し難い。従って、本発明の検出方法に対する、洗浄剤、消毒剤等の干渉物質が及ぼす影響は、問題ないと思われる。
【００５５】
（手術器具の測定１）
剪刀（全長約１５ｃｍ）に、人血０．５ｍｌを塗布した後、表７に示すように、様々な条件のもとで洗浄を行った。洗浄後の剪刀と、アルカリ性溶液（０．２Ｎ水酸化ナトリウム水溶液）１０ｍｌを、ポリエチレン製の袋に入れ、この袋を、５０℃に保たれた恒温水槽に浸漬し、剪刀をアルカリ性溶液中で３０分間浸漬振盪を行い、蛋白質（人血）の抽出を行った。こうして得られた抽出液１ｍｌを、上述したように、クーマシーブリリアントブルーＧ−２５０溶液３ｍｌ中に添加して、２５℃で２０分間反応させた後、得られた接触液の５９５ｎｍにおける吸光度測定を行った。この吸光度測定の結果から得られた蛋白質量を表７に示す。
【００５６】
なお、表７に示す処理１及び処理２は、以下に示すとおりである。
処理１：血液凝固防止剤〔株式会社イヌイメデイックス製、商品名：メディポールＰＳ〕を噴霧する。
処理２：酵素系界面活性剤配合洗浄剤〔株式会社イヌイメデイックス製、メディポールＥＸ−１〕と水道水を、０．５：９９．５の重量比で混合した洗浄液を、超音波洗浄機〔シャープ株式会社製、品番：ＭＵ−６２４〕に入れ、４０℃とされた洗浄液中に剪刀を浸漬し、１０分間超音波洗浄を行う。
表７に示す洗浄条件４は、人血０．５ｍｌを塗布した剪刀を処理１、処理２を行わずに、洗浄前に付着している蛋白質を定量したものである。
【００５７】
【表７】
2006145271.tif 000008
【００５８】
表７の蛋白質量の測定結果が示すように、洗浄条件を明確に反映した結果が得られた。なお、この結果から、処理１（血液凝固防止剤を噴霧）を行うこと、特には、血液付着直後に行うことで、良好な付着物除去効果が得られることが判明した。
【００５９】
（手術器具の測定２）
吸引嘴管（全長約１２ｃｍ、先端径約３ｍｍ）の内腔部分に、人血０．５ｍｌを塗布し、１２時間放置後、表８に示すように、様々な条件のもとで洗浄を行った。洗浄処理後の吸引嘴管と、アルカリ性溶液（０．２Ｎ水酸化ナトリウム水溶液）１０ｍｌを、ポリエチレン製の袋に入れ、この袋を、５０℃に保たれた恒温水槽に浸漬し、吸引嘴管をアルカリ性溶液中で３０分間浸漬振盪を行い、蛋白質の抽出を行った。こうして得られた抽出液１ｍｌを、上述したように、クーマシーブリリアントブルーＧ−２５０溶液３ｍｌ中に添加して、２５℃で２０分間反応させた後、得られた接触液の５９５ｎｍにおける吸光度測定を行い、この吸光度測定の結果から得られた蛋白質量を表８に示す。
【００６０】
なお、表８に示す処理３及び処理４は、以下に示すとおりである。
処理３：酵素系界面活性剤配合洗浄剤〔株式会社イヌイメデイックス製、商品名：メディポールＥＸ−１〕と水道水を、０．５：９９．５の重量比で混合した洗浄液を４０℃とし、この中で、３０分間浸漬する。
処理４：アルカリ系洗浄剤〔株式会社イヌイメデイックス製、メディポールＦ〕と水道水を、０．５：９９．５の重量比で混合した洗浄液を、超音波洗浄機に入れ、４０℃とされた洗浄液中に吸引嘴管を浸漬し、１０分間超音波洗浄を行う。
【００６１】
【表８】
2006145271.tif 000009
【００６２】
表８に示すように、吸引嘴管についても、洗浄条件を明確に反映した結果が得られた。
【００６３】
（手術器具の測定３）
実際に、手術で使用した止血鉗子（全長約１４ｃｍ）を、表９に示すように、様々な条件のもとで洗浄を行った。洗浄処理後の止血鉗子と、アルカリ性溶液（０．２Ｎ水酸化ナトリウム水溶液）１０ｍｌを、ポリエチレン製の袋に入れ、この袋を、５０℃に保たれた恒温水槽に浸漬し、止血鉗子をアルカリ性溶液中で３０分間浸漬振盪を行い、蛋白質の抽出を行った。こうして得られた抽出液１ｍｌを、上述したように、クーマシーブリリアントブルーＧ−２５０溶液３ｍｌ中に添加して、２５℃で２０分間反応させた後、得られた接触液の５９５ｎｍにおける吸光度測定を行い、この吸光度測定の結果から得られた蛋白質量を表９に示す。
【００６４】
なお、表９に示す処理５〜処理７は、以下に示すとおりである。
処理５：血液凝固防止剤〔株式会社イヌイメデイックス製、商品名：メディポールＰＳ〕を噴霧する。
処理６：ブラッシング
処理７：アルカリ系洗浄剤〔株式会社イヌイメデイックス製、メディポールＦ〕と水道水を、０．５：９９．５の重量比で混合した洗浄液を、超音波洗浄機に入れ、４０℃とされた洗浄液中に吸引嘴管を浸漬し、１５分間超音波洗浄を行う。
【００６５】
【表９】
2006145271.tif 000010
【００６６】
表９に示すように、洗浄条件に反映した結果が得られた。止血鉗子は、比較的、血液の付着が少ないものであるが、表９に示す結果からも実証された。
【００６７】
手術器具の測定１〜３の結果から、本実施例の検出方法は、医療の現場で要求される検出精度を十分に備えるものであるといえる。
【図面の簡単な説明】
【００６８】
【図１】蛋白質染色剤として、クーマシーブリリアントブルーＧ−２５０を用いた場合における、蛋白質濃度−吸光度の検量線を示すグラフである。
【図１】
2006145271.tif 000011